(57)【要約】      （修正有）【課題】配置的家具として、有用な、且つ良好な意匠性で深みのある開放感的な装飾を主体にして、開き戸部、又は二〜四段引出部、又は引き戸部付きで、弓形形状の連係サイドフレーム柱によってデザイン性を持たせた連結可能なサイドボード家具を提供する。【解決手段】三段式サイドボードの両端に弓形形状の連結サイドフレーム柱を持ち、中央下段に開き戸付きボックス部、又は二〜四段の引出付きボックス部、又は引き戸付きボックス部にして、二段目と、三段目には棚板を設置したサイドボード家具において、両サイドフレーム柱を半弓形の形状にして、下部位置にボックス部に固定して、前記柱に連係可能な穴を設置して、三段式サイドボード数個を連係して組み立てられるようになっている弓形サイドフレーム付き連結可能サイドボード家具である。【選択図】図１
0003178184.tif 000002
【実用新案登録請求の範囲】
【請求項１】
家具のデザイン性を増すために、三段式サイドボードの両端に弓形形状の連結サイドフレーム柱を持ち、中央部下段に開き戸付きボックス部、又は二段〜四段の引出付きボックス部、又は引き戸付きボックス部にして、二段目と、三段目には棚板を設置したサイドボード家具において、幅６０ｍｍのサイドフレーム柱を横４００ｍｍで、高さ１８００ｍｍの範囲での半弓形の形状にして、下部からの高さ２５０ｍｍ〜７００ｍｍの位置にボックス部にして、前記ボックスに固定された両サイドフレーム柱に２〜４箇所の連結可能な定位置の穴を設け、前記弓形連結サイドフレーム柱の穴の連係によって１〜５個の三段式サイドボードを連結できるようになっていることを特徴とする弓形サイドフレーム付き連結可能サイドボード家具
【請求項２】
開き戸付きボックス部、又は二段〜四段の引出付きボックス部、又は引き戸付きボックス部は、高さ２００ｍｍ〜７００ｍｍ、幅７５０ｍｍ〜１５００ｍｍ、奥行き３５０ｍｍ〜５００ｍｍで、開き戸付きボックス部では前面に前開きの木製の一枚〜二枚の扉を付け、内部を二段〜三段の棚付き収納部になって、又は二段〜四段の引出ボックス部では各引出の高さを１００ｍｍ〜３００ｍｍであり、又は引き戸付きボックス部では前面に両開きの木製二枚戸を付け、各ボックスの底部の奥部に二本の高さ１００ｍｍ〜２００ｍｍの脚部を取り付けていることを特徴とする請求項１に弓形サイドフレーム付き連結可能サイドボード家具。
【請求項３】
三段式サイドボードの両サイドに弓形形状の連結サイドフレーム柱を持ち、中央部下段に開き戸付きボックス部、又は二段〜四段の引出付きボックス部、又は引き戸付きボックス部にして、二段目と、三段目には棚板を設置したサイドボード家具において、幅４００ｍｍで高さ１８００ｍｍの範囲での半弓形の形状である弓形連結サイドフレーム柱は、厚さ２５ｍｍ〜５０ｍｍ、幅５０ｍｍ〜１００ｍｍであって、底部からの高さ２００ｍｍ〜８００ｍｍの位置にボックス部を、１０００ｍｍ〜１２００ｍｍの位置に二段目棚板を、１２００ｍｍ〜１５００ｍｍの位置に三段目棚板を取り付けて、連結サイドフレーム柱の下位から１００ｍｍ〜２００ｍｍ付近と９００ｍｍ〜１５００ｍｍ付近と１６００ｍｍ〜１７５０ｍｍ付近の中央部に、ボルトによる連係可能な５ｍｍ〜１０ｍｍの穴を持って、前記弓形連結サイドフレーム柱の最下部をボックス部の最前面付近に設置して、最上部を壁などの奥部に接地できるような弓形形状になっていることを特徴とする請求項１、又は請求項２に記載の弓形サイドフレーム付き連結可能サイドボード家具。
【請求項４】
三段式サイドボードの両端に弓形形状の連結サイドフレーム柱を持ち、中央部下段のボックス部の上部にある二段目棚は、９００ｍｍ〜１０００ｍｍの位置にして、幅７００ｍｍ〜１５００ｍｍ、奥行き２５０ｍｍ〜３００ｍｍの厚さ２０ｍｍ〜２５ｍｍの棚板を、三段目棚は１３００ｍｍ〜１５００ｍｍの位置にして、幅７００ｍｍ〜８００ｍｍ、奥行き２００ｍｍ〜２５０ｍｍの厚さ２０ｍｍ〜２５ｍｍの棚板を取り付けていることを特徴とする請求項１〜請求項３のいずれかに記載の弓形サイドフレーム付き連結可能サイドボード家具。
【請求項５】
三段式サイドボードの両端に弓形形状の連結サイドフレーム柱は、中央下段に開き戸付きボックス部、又は二段〜四段の引出付きボックス部、又は引き戸付きボックス部の両端に取り付けて、ボックス部の二本の前脚になっており、幅４００ｍｍで高さ１８００ｍｍの範囲での半弓形の形状をして、前記弓形連結サイドフレーム柱の厚さ２０〜５０ｍｍ、幅５０〜１００ｍｍであって、連結サイドフレーム柱の下位から２〜４箇所の中央定位置に、ボルトによる連係可能な穴を持って、前記弓形連結サイドフレーム柱の最下部をボックス部の最前面に位置して、最上部の奥部にある壁などに接地できるように弓形形状にしていることを特徴とする請求項１〜請求項４のいずれかに記載の弓形サイドフレーム付き連結可能サイドボード家具。
【考案の詳細な説明】
【技術分野】
【０００１】この考案はサイドボード家具において、引出部、或いは開き戸部の扉、又は引き戸部で、開放感、重複感を持たせ、デザイン性装飾を目的としてサイドボード家具に関する。さらに詳しくは、家具として有用な、良好な意匠性で深みのある引出部、及び開き戸部の扉、又は引き戸部において重複感を持たせ、開放感のデザイン性装飾を主体にした、ボックス付き三段様式によってデザイン性にしたサイドボード家具に関するものである。
【背景技術】
【０００２】従来、家具のサイドボードにはデザイン性の模様付きの化粧材が使用されていることが一般によく知られている。この開放感を持たせたデザイン性化粧材は、無垢木板、ＭＤＦ製の基材の上面に接着された突板、或いは化粧シートを張り付けて意匠性を備えていることが多い。
一般に家具のデザインは、各種の素材からなる化粧板によっても行われている。
家具の部材において部分的配置、或いは特殊な形状などを変更してデザイン性を増すことは余り知られていない。【０００３】木製基材板に、多数のランダムな大きさの線状の溝目要素をもって、全体として線状目模様の流動状を構成するように彫られた木板部を有する化粧板が使用された家具が示されている（特許文献１参照）。
また家具のデザイン性を増すために、家具の化粧板の一種に、木材表面をブラッシング加工して、春材部、花模様部を削り取り、表面に凹凸を形成した後に塗装仕上げしたものも知られている（特許文献２参照）。【０００４】このデザイン性の化粧板は、木質素材表面の自然の凹凸感を生かしたものとして、優れた質感のある木質材として注目されてもいる（特許文献３参照）。
さらに突板を貼り合わせたものに表面を彫って模様を付けて、その中に顔料を注入して化粧板を提供しているものもある（特許文献４参照）。
しかし製作において煩雑であって、高価になる。所定の板厚さの板目材の小角材及び又は挽き板を長さ方向、板幅方向、板厚さ方向の垂直方向、水平方向、略斜め方向の多数方向において積層接合した集成材で市松模様にしている化粧板である（特許文献５参照）。【０００５】さらに家具の装飾性の向上に、窓ガラス、ドアガラス等として照明や装飾、防音、断熱、結露防止等を目的と合わせて、ガラス板同士、あるいはアクリル樹脂板同士を貼り合わせたものや、二枚のガラス板の間に空間を形成させた複層ガラス板が使用されている（特許文献６参照）。
これらの複層ガラス板の場合、装飾のために模様を付ける場合の方法として行なわれている方法は、通常、ガラス板面への色付け処理によってインテリアとして家具に使用されているものも提案されている（特許文献７参照）。【０００６】しかし、サイドボートなどの家具のうちデザイン性が求められているものでは、使用する材料によって装飾性を向上させているのみで、扉、引出、柱などの家具の部材の形状、さらにそれらの配置、色合いなどを変えることによって高度のデザイン性を高めたものを示しているものは存在しない。
【先行技術文献】
【特許文献】
【０００７】
【特許文献１】特開平０７−４１３３８号公報
【特許文献２】特開平１１−２６２４１７号公報
【特許文献３】特開２００２−３５３２７号公報
【特許文献４】特開平１０−５９７５１号公報
【特許文献５】特開２００１−３０１３３９７号公報
【特許文献６】実登第３１４２９１７号公報
【特許文献７】特開平０５−７６８２９号公報
【考案の概要】
【考案が解決しようとする課題】
【０００８】本考案は、従来の家具において装飾性を増すには、家具表面の化粧板のデザインと配置、部品の形状のよって向上させることである。化粧板の平板の表面をデザイン性の木製の板、塗装された板が使用されていた。家具の表面の板の模様を変えるだけでは、意匠性に変化が乏しかった。また引き戸部、引出部、開き戸の扉によって、家具の表面はその化粧板、固定柱などの配置によって遮蔽されており、意匠性に変化が乏しくなっている。【０００９】サイドボードなどの家具などの化粧板は天然木材、樹脂の表面にプリントした合板、あるいは各種の木質加工材の化粧板の使用が普及されている。しかしこれらの加工材に天然木材のみでは表現出来ない特異な意匠性を呈することは難しい課題になっている。サイドボートなどの家具のうちデザイン性が求められているものでは、使用する材料によって装飾性を向上させているのみで、扉、引出、それらの配置、色合い、引出形状、扉、固定柱の形状などで家具全体のデザイン性を示しているものは存在しない。【００１０】このような課題に対応するために、家具とりわけサイドボートの部分的模様と部材の配列を組み合わせて、今までにないデザイン性を高めることが必要になってきた。特に開き戸部と、引き戸部と、引出部の位置、配列と色彩、ボックスの固定柱などをデザイン的にすることで、開放感を持つ装飾的サイドボードになることが期待される。【００１１】本考案は、上記の事情に鑑みて、このサイドボートの部品の配列と固定柱によってデザイン性を強調させ、弓形形状の連結サイドフレーム柱を持ち、優れた質感のボックスである引出部、開き戸部、引き戸部の表面模様を形成することのできる新しい弓形形状の連係サイドフレーム柱を持ち、連係穴の連係によってフレーム柱部品１〜３個を連結できて、全体の配列模様で開放感を呈し装飾的にしたサイドボード家具を提供することを目的としている。
【課題を解決するための手段】
【００１２】家具のデザイン性を増すために、三段式サイドボードの両端に弓形形状の連結サイドフレーム柱を持ち、中央部下段に開き戸付きボックス部、又は二〜四段の引出付きボックス部、又は引き戸付きボックス部にして、二段目と、三段目には棚板を設置したサイドボード家具において、幅５０ｍｍ〜１００ｍｍのサイドフレーム柱を横４００ｍｍで、高さ１８００ｍｍの範囲での半弓形の形状にして、下部からの高さ２００ｍｍ〜７００ｍｍの位置にボックス部にして、前記ボックスの両サイドに２〜４箇所に連係可能な穴を設けた連結サイドフレーム柱を取り付けて、前記弓形連結サイドフレーム柱の穴の連携によって１〜５個の三段式サイドボードを連結されるようになっている弓形サイドフレーム付き連結可能サイドボード家具である。【００１３】開き戸付きボックス部、又は二〜四段の引出付きボックス部、又は引き戸付きボックス部は、高さ２００ｍｍ〜７００ｍｍ、幅７５０ｍｍ〜１５００ｍｍ、奥行き３５０ｍｍ〜５００ｍｍで、開き戸付きボックス部では前面に前開きの木製の一枚〜二枚の扉を付け、内部を二段〜三段の棚付き収納部になって、又は二段〜四段の引出付きボックス部では各引出の高さを１００〜３００ｍｍであり、又は引き戸付きボックス部では前面に両開きの木製二枚戸を付け、各ボックスの底部の奥部に二本の１００ｍｍ〜２００ｍｍの脚部を持っている。【００１４】三段式サイドボードの両サイドに弓形形状の連結サイドフレーム柱を持ち、中央部下段に開き戸付きボックス部、又は二段〜四段の引出付きボックス部、又は引き戸付きボックス部にして、二段目と、三段目には棚板を設置したサイドボード家具において、幅４００ｍｍで高さ１８００ｍｍの範囲での半弓形の形状である、前記弓形連結サイドフレーム柱は、厚さ２０ｍｍ〜５０ｍｍ、幅５０ｍｍ〜１００ｍｍであって、底部からの高さ２００ｍｍ〜７００ｍｍの位置にボックス部を、１０００ｍｍ〜１２００ｍｍの位置に二段目棚板を、１２００ｍｍ〜１５００ｍｍの位置に三段目棚板を取り付けて、連結サイドフレーム柱の下位から１００ｍｍ〜２００ｍｍ付近と９００ｍｍ〜１５００ｍｍ付近と１６００ｍｍ〜１７５０ｍｍ付近の中央部に、ボルトによる連係可能な５ｍｍ〜１０ｍｍの穴を設置して、前記弓形連結サイドフレーム柱の最下部をボックス部の前面付近に設置して、最上部を壁などの奥部になるような弓形形状になっている。【００１５】家具のデザイン性を増すために、三段式サイドボードの両端に弓形形状の連結サイドフレーム柱を持ち、中央部下段に開き戸付きボックス部、又は二段〜四段の引出付きボックス部、又は引き戸付きボックス部の上部にある二段目棚は、９００ｍｍ〜１０００ｍｍの位置にして、幅７００ｍｍ〜１５００ｍｍ、奥行き２５０ｍｍ〜３００ｍｍの厚さ２０ｍｍ〜２５ｍｍの棚板を、三段目棚は１３００ｍｍ〜１５００ｍｍの位置にして、幅７００ｍｍ〜８００ｍｍ、奥行き２００ｍｍ〜２５０ｍｍの厚さ２０ｍｍ〜２５ｍｍの棚板を取り付けている。【００１６】三段式サイドボードの両端に弓形形状の連結サイドフレーム柱は、中央下段に開き戸付きボックス部、又は二段〜四段の引出付きボックス部、又は引き戸付きボックス部の両端に取り付けて、ボックス部の二本の前脚になっており、幅４００ｍｍで高さ１８００ｍｍの範囲での半弓形の形状をして、前記弓形連結サイドフレーム柱の厚さ２５〜５０ｍｍ、幅５０〜１００ｍｍであって、連結サイドフレーム柱の下位から２〜４箇所の中央部に、ボルトによる連係可能な穴を設置して、前記弓形連結サイドフレーム柱の最下部をボックス部の前面付近に位置して、最上部は奥部の壁に位置できるように弓形形状していることを特徴とする弓形サイドフレーム付き連結可能サイドボード家具である。
【考案の効果】
【００１７】  以上のように、本考案の木製板の引出、開き戸、引き戸で装飾扉と配置において、開き戸部と二〜四段の引出部と引き戸部の家具によって、サイドボード家具の意匠性と趣を維持しながら、両端に弓形連結サイドフレーム柱をもって、開放感を持つ装飾的にした美観的デザイン性を向上させることができる。【００１８】  開き戸部と二〜四段の引出部と、及び引き戸部と二〜四段の引出部とのペアー家具体と、開き戸部と引き戸部と二〜四段の引出部とに弓形連係サイドフレーム柱を持つ家具において、弓形連結サイドフレーム柱の模様表現による意匠性、開放感ともに優れた装飾扉にして洋風的で、豪華さを持った高級感なサイドボード家具が提供される。
【図面の簡単な説明】
【００１９】
【図１】弓形サイドフレーム付き連結可能サイドボード家具Ａ（引出−開き戸型）の斜視図
【図２】弓形サイドフレーム付き連結可能サイドボード二式家具ＡＢの斜視図
【図３】弓形サイドフレーム付き連結可能サイドボード家具Ａ（引出−開き戸混合型）の正面図
【図４】弓形サイドフレーム付き連結可能サイドボード家具Ｃ（四段引出型）の正面−平面図
【図５】弓形サイドフレーム付き連結可能サイドボード家具Ｂ（開き戸型）の正面−平面図
【図６】弓形サイドフレーム付き連結可能サイドボード家具Ｄ（引き戸型）の正面−平面図
【図７】弓形サイドフレーム付き連結可能サイドボード二式家具ＢＣの正面−平面図
【図８】弓形サイドフレーム付き連結可能サイドボード二式家具ＡＢの正面−平面図
【図９】弓形サイドフレーム付き連結可能サイドボード三式家具ＣＡＢの正面−平面図
【図１０】弓形サイドフレーム付き連結可能サイドボード棚の取り付け図
【図１１】弓形サイドフレーム付き連結可能サイドボード二式家具の接合詳細図  ａ：連結方法、ｂ：弓形サイドフレーム連結前状態図、ｃ：弓形サイドフレーム連結済状態図、ｄ：弓形サイドフレーム連結済のフレームの断面図
【考案を実施するための形態】
【００２０】以下、本考案を実施するための最良の形態について説明する。
図１、及び図２は、弓形サイドフレーム付き連結可能サイドボード家具Ａの斜視図、弓形サイドフレーム付き連結可能サイドボード二式家具ＡＢの斜視図である。図３〜図１０は、木製の種々の状態を木製化粧板の弓形サイドフレーム付き連結可能サイドボードの下部での開き戸部と、四段の引出部と、引き戸部とを、組み合わせた弓形サイドフレーム付き二式サイドボード示した図である。
【００２１】図３は弓形サイドフレーム付き連結可能サイドボード家具Ａとの正面−平面図、図４は弓形サイドフレーム付き連結可能サイドボード家具Ｃの正面−平面図、図５は弓形サイドフレーム付き連結可能サイドボード家具Ｂの正面−平面図、図６は弓形サイドフレーム付き連結可能サイドボード家具Ｄの正面−平面図である。図７及び図８は弓形サイドフレーム付き連結可能サイドボード二式家具ＣＢとＡＢの正面−平面図である。
【実施例１】
【００２２】ウォルナット木製の家具のデザイン性を増すために、図１、及び図３に示すように三段式サイドボードの両端に弓形形状の連結サイドフレーム柱を持ち、中央部下段に四段引出と開き戸との併設付きボックス部にして、二段目と、三段目には棚板を設置したサイドボード家具において、幅６０ｍｍのウォルナット木製のサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連結可能な穴を設けた連結サイドフレーム柱を取り付けて、前記弓形連結サイドフレーム柱の穴の連係によって他の三段式サイドボードとを連結組み立てられるようにした。【００２３】四段引出−開き戸ボックス部は、ボックスの左半分である四段引出として、高さ１５０ｍｍ、幅３５０ｍｍ、奥行き３９０ｍｍの引出を４段引出になって、ボックスの右半分である開き戸として、高さ８００ｍｍ、幅３５０ｍｍ、奥行き３９０ｍｍで、開き戸ボックス部では前面に前開きの木製一枚扉を付け、内部を二段の棚付き収納部になって、ボックスの底部の奥部に二本の２００ｍｍの脚部を持っている。中央部下段のボックス部の上部にある二段目棚は、１０００ｍｍの位置にして、幅７００ｍｍ、奥行き３５０ｍｍの厚さ２０ｍｍのウォルナット木製棚板を、三段目棚は１５００ｍｍの位置にして、幅７００ｍｍ、奥行き２００ｍｍの厚さ２０ｍｍのウォルナット木製棚板を取り付けた、高さ１８００ｍｍのウォルナットの弓形サイドフレーム柱付き連結可能サイドボード家具Ａ（引出−開き戸型）を完成させた。
【実施例２】
【００２４】家具のデザイン性を増すために、図４に示すように三段式サイドボードの両端に弓形形状の連結サイドフレーム柱を持ち、中央部下段に四段の引出ボックス部にして、二段目と、三段目には棚板を設置したウォルナット木製のサイドボード家具において、幅６０ｍｍ厚さ２５ｍｍのサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連結可能な穴を設けた連結サイドフレーム柱を取り付けて、前記弓形連結サイドフレーム柱の穴の連係によって他の三段式連結可能サイドボードとを連結組み立てられるようにした。【００２５】四段の引出ボックス部は、高さ８００ｍｍ、幅７００ｍｍ、奥行き３９０ｍｍで、四段の引出ボックス部では各引出の高さを１５０ｍｍであり、ボックスの底部の奥部に二本の２００ｍｍの脚部を持っている。中央部下段のボックス部の上部にある二段目棚は、１０００ｍｍの位置にして、幅７００ｍｍ、奥行き３５０ｍｍの厚さ２０ｍｍのウォルナット棚板を、三段目棚は１５００ｍｍの位置にして、幅７００ｍｍ、奥行き２００ｍｍの厚さ２０ｍｍのウォルナット棚板を取り付けた、弓形サイドフレーム付き連結可能サイドボード家具Ｃ（四段引出型）を完成させた。
【実施例３】
【００２６】図５に示すように三段式サイドボードの両端に弓形形状の連結サイドフレーム柱を持ち、中央部下段に引き戸付きボックス部にして、二段目と、三段目には棚板を設置したウォルナット木製のサイドボード家具において、幅６０ｍｍのサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連係可能な穴を設けた連結サイドフレーム柱を取り付けて、前記弓形連結サイドフレーム柱の穴の連携によって他の三段式サイドボードを連結組み立てられるようにした。【００２７】開き戸ボックス部は、高さ８００ｍｍ、幅７００ｍｍ、奥行き３９０ｍｍで、引き戸付きボックス部では前面に両開きの木製二枚戸を付け、ボックスの底部の奥部に二本の２００ｍｍの脚部を持っている。ウォルナットの弓形サイドフレーム付き連結可能サイドボード家具Ｂ（開き戸型）を完成させた。
【実施例４】
【００２８】ウォールナット木製の家具のデザイン性を増すために、図６に示すように三段式サイドボードの両端に弓形形状の連結サイドフレーム柱を持ち、中央部下段に四段引出と開き戸との併設付きボックス部にして、二段目と、三段目には棚板を設置したサイドボード家具において、幅６０ｍｍのウォールナット木製のサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連結可能な穴を設けた連結サイドフレーム柱を取り付けて、前記弓形連結サイドフレーム柱の穴の連携によって三段式サイドボードを連結組み立てられるようにした。【００２９】引き戸型ボックス部は、高さ８００ｍｍ、幅３５０ｍｍ、奥行き３９０ｍｍで、引き違い式の開閉扉を付け、内部に二段の棚付き収納部になって、ボックスの底部の奥部に二本の２００ｍｍの脚部を持っている。中央部下段のボックス部の上部にある二段目棚は、１０００ｍｍの位置にして、幅７００ｍｍ、奥行き３５０ｍｍの厚さ２０ｍｍの棚板を、三段目棚は１５００ｍｍの位置にして、幅７００ｍｍ、奥行き２００ｍｍの厚さ２０ｍｍの棚板を取り付けた、ウォールナット材の高さ１８００ｍｍの弓形サイドフレーム柱付き連係可能サイドボード家具Ｄ（引き戸型）を完成させた。
【実施例５】
【００３０】図７に示すように、弓形サイドフレーム付き連結可能サイドボード二式家具ＣＢの、弓形サイドフレーム付き連結可能サイドボード家具Ｂ（開き戸型）と弓形サイドフレーム付き連結可能サイドボード家具Ｃ（四段引出型）とを図１０と図１１に示すように弓形サイドフレーム柱を連結して二式異種連結サイドボードＣＢにしたものである。【００３１】各ＣとＢの三段式サイドボードの両端に弓形形状の連結サイドフレーム柱を持ち、中央部下段に三段の引出ボックス部にして、二段目と、三段目には棚板を設置したウォルナット木製のサイドボード家具において、幅６０ｍｍのサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連結可能な穴を設けた連結サイドフレーム柱を取り付けて、前記弓形連結サイドフレーム柱の穴の連係によってＣとＢの三段式サイトボードを連結組み立てられた。【００３２】図４の四段の引出付きボックス部は、高さ８００ｍｍ、幅７００ｍｍ、奥行き３９０ｍｍで、三段の引出ボックス部では各引出の高さを１５０ｍｍであり、ボックスの底部の奥部に二本の２００ｍｍの脚部を持っている中央部下段のボックス部の上部にある二段目棚は、１０００ｍｍの位置にして、幅７００ｍｍ、奥行き３５０ｍｍの厚さ２０ｍｍの棚板を、三段目棚は１５００ｍｍの位置にして、幅７００ｍｍ、奥行き２００ｍｍの厚さ２０ｍｍの棚板を取り付けた、ウォルナット弓形サイドフレーム付き連結可能サイドボード家具Ｃ（引出型）を完成させた。【００３３】三段式サイドボードの両端に弓形形状の連結サイドフレーム柱を持ち、中央部下段に引き戸付きボックス部にして、二段目と、三段目には棚板を設置したウォルナット木製のサイドボード家具において、幅６０ｍｍのサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連結可能な穴を設けた連結サイドフレーム柱を取り付けて、前記弓形連結サイドフレーム柱の穴の連係によって他のＣ三段式サイドボードを連結組み立てられた。【００３４】開き戸ボックス部は、高さ８００ｍｍ、幅７５０ｍｍ、奥行き３９０ｍｍのウォルナット材で、引き戸付きボックス部では前面に両開きの木製二枚戸を付け、ボックスの底部の奥部に二本の２００ｍｍの脚部を持っている。中央部下段のボックス部の上部にある二段目棚は、１０００ｍｍの位置にして、幅７００ｍｍ、奥行き３５０ｍｍの厚さ２０ｍｍの棚板を、三段目棚は１５００ｍｍの位置にして、幅７００ｍｍ、奥行き２００ｍｍの厚さ２０ｍｍの棚板を取り付けた、弓形サイドフレーム付き連結可能サイドボード家具Ｂ（開き戸型）を完成させた。
【実施例６】
【００３５】図２、図８で示すように弓形サイドフレーム付き連結可能サイドボード二式家具ＡＢ、弓形サイドフレーム付き連係可能サイドボード家具Ａ（四段引出−開き戸型）と弓形サイドフレーム付き連結可能サイドボード家具Ｂ（開き戸型）を連結したもので、図１０と図１１に示すように弓形サイドフレーム柱を連結して二式異種連結サイドボードＡＢにしたものである。
ある。【００３６】三段式サイドボードの両端に弓形形状の連結サイドフレーム柱を持ち、中央部下段に引き戸付きボックス部にして、二段目と、三段目には棚板を設置したウォールナット木製のサイドボード家具において、幅６０ｍｍのサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連結可能な穴を設けた連結サイドフレーム柱を取り付けて、前記弓形連結サイドフレーム柱にある三個の穴の連係によって他の三段式サイドボードを連結組み立てられる様にしている。【００３７】開き戸付きボックス部は、高さ８００ｍｍ、幅７５０ｍｍ、奥行き３９０ｍｍで、引き戸付きボックス部では前面に両開きの木製二枚戸を付け、ボックスの底部の奥部に二本の２００ｍｍの脚部を持っている。弓形サイドフレーム付き連結可能サイドボード家具Ｂ（開き戸型）を完成させた。【００３８】三段式サイドボードの両端に弓形形状の連結サイドフレーム柱を持ち、中央部下段に引き戸付きボックス部にして、二段目と、三段目には棚板を設置したウォルナット木製のサイドボード家具において、幅６０ｍｍのサイドフレーム柱を横４００ｍｍで、高さ１８００ｍｍの範囲での半弓形の形状にして、下部からの高さ６５０ｍｍの位置にボックス部にして、前記ボックスの両サイドに３箇所に連係可能な穴を設けた連結可能サイドフレーム柱を取り付けて、前記弓形連結サイドフレーム柱の穴の連係によって３個の三段式サイドボードを連結組み立てられた。【００３９】図９に示すように、弓形サイドフレーム付き連結可能サイドボード三式家具ＡＢＣ、弓形サイドフレーム付き連結可能サイドボード家具Ｃ（四段引出型）と弓形サイドフレーム付き連結可能サイドボード家具Ｂ（開き戸型）と弓形サイドフレーム付き連結可能サイドボード家具Ａ（引出−開き戸型）との三種類をそれぞれ図１０、及び図１１のように連結したものである。【００４０】弓形サイドフレーム付き連結可能サイドボード家具Ｃ（四段引出型）と弓形サイドフレーム付き連結可能サイドボード家具Ｂ（開き戸型）と弓形サイドフレーム付き連結可能サイドボード家具Ａ（引出−開き戸型）は、それぞれ実施例２、実施例３、実施例１によって製作されたものである。
これらの弓形サイドフレーム付き連結可能サイドボード家具Ｃ（四段引出型）と弓形サイドフレーム付き連結可能サイドボード家具Ｂ（開き戸型）と弓形サイドフレーム付き連結可能サイドボード家具Ａ（引出−開き戸型）と弓形サイドフレーム付き連結可能サイドボード家具Ｄ（引き戸型）とを種々組み合わせて連結することによって、デザイン性の趣のあるサイドボードを得ることができた。
【符号の説明】
【００４１】１．弓形サイドフレーム柱
２．引出
３．引き戸
４．扉（開き戸）
５．棚
６．天板
７．連結穴
８．脚
９．取手
１０．ネジ
【図１】
0003178184.tif 000003
【図２】
0003178184.tif 000004
【図３】
0003178184.tif 000005
【図４】
0003178184.tif 000006
【図５】
0003178184.tif 000007
【図６】
0003178184.tif 000008
【図７】
0003178184.tif 000009
【図８】
0003178184.tif 000010
【図９】
0003178184.tif 000011
【図１０】
0003178184.tif 000012
【図１１】
0003178184.tif 000013